(57)【特許請求の範囲】
【請求項１】
車両の運転室に備えられたインジケータパネル上に配置され、スイッチの種別を表す文字または数字または記号または図形が配置された夜間照光部と、前記夜間照光部の表示を照光する夜間照光用発光素子と、を有する照光ユニットにおいて、
前記夜間照光用発光素子の一方の電極に接続される第一の端子と、
前記夜間照光用発光素子の他方の電極に一端が接続される第一の抵抗器と、
前記第一の抵抗器の他端に接続される第二の端子と、
前記第一の抵抗器の他端および前記第二の端子に一端が接続される第二の抵抗器と、
前記第二の抵抗器の他端に接続される第三の端子と、
を有する、
ことを特徴とする照光ユニット。
【請求項２】
車両の運転室に備えられたインジケータパネル上に配置され、スイッチと、前記スイッチの種別を表す文字または数字または記号または図形が配置された夜間照光部と、前記夜間照光部の表示を照光する夜間照光用発光素子と、前記スイッチの開閉の状態を表示するインジケータ部と、前記インジケータ部の表示を照光するインジケータ用発光素子と、を有する照光ユニットにおいて、
前記夜間照光用発光素子の一方の電極に接続される第一の端子と、
前記夜間照光用発光素子の他方の電極に一端が接続される第一の抵抗器と、
前記第一の抵抗器の他端に接続される第二の端子と、
前記第一の抵抗器の他端および前記第二の端子に一端が接続される第二の抵抗器と、
前記第二の抵抗器の他端に接続される第三の端子と、
を有し、
前記スイッチの一方の端子には前記インジケータ用発光素子の一方の電極が接続され、
前記インジケータ用発光素子の他方の電極に一端が接続される第三の抵抗器と、
前記第三の抵抗器の他端に接続される第四の端子と、
前記第三の抵抗器の他端および前記第四の端子に一端が接続される第四の抵抗器と、
前記スイッチの他方の端子に接続される第五の端子と、
前記第四の抵抗器の他端に接続される第六の端子と、
を有する、
ことを特徴とする照光ユニット。
【請求項３】
車両の運転室に備えられたインジケータパネル上に配置され、スイッチと、前記スイッチの開閉の状態を表示するインジケータ部と、前記インジケータ部の表示を照光するインジケータ用発光素子と、を有する照光ユニットにおいて、
前記スイッチの一方の端子には前記インジケータ用発光素子の一方の電極が接続され、
前記インジケータ用発光素子の他方の電極に一端が接続される第三の抵抗器と、
前記第三の抵抗器の他端に接続される第四の端子と、
前記第三の抵抗器の他端および前記第四の端子に一端が接続される第四の抵抗器と、
前記スイッチの他方の端子に接続される第五の端子と、
前記第四の抵抗器の他端に接続される第六の端子と、
を有する、
ことを特徴とする照光ユニット。
【請求項４】
車両の運転室に備えられたインジケータパネル上に配置され、スイッチの種別を表す文字または数字または記号または図形が配置された夜間照光部と、前記夜間照光部の表示を照光する夜間照光用発光素子と、を有する照光ユニットにおいて、
前記夜間照光用発光素子の一方の電極に接続される第一の端子と、
前記夜間照光用発光素子の他方の電極に一端が接続される第五の抵抗器と、
前記第五の抵抗器の他端に接続される第二の端子と、
前記夜間照光用発光素子の他方の電極および前記第五の抵抗器の一端に一端が接続される第六の抵抗器と、
前記第六の抵抗器の他端に接続される第三の端子と、
を有する、
ことを特徴とする照光ユニット。
【請求項５】
車両の運転室に備えられたインジケータパネル上に配置され、スイッチと、前記スイッチの種別を表す文字または数字または記号または図形が配置された夜間照光部と、前記夜間照光部の表示を照光する夜間照光用発光素子と、前記スイッチの開閉の状態を表示するインジケータ部と、前記インジケータ部の表示を照光するインジケータ用発光素子と、を有する照光ユニットにおいて、
前記夜間照光用発光素子の一方の電極に接続される第一の端子と、
前記夜間照光用発光素子の他方の電極に一端が接続される第五の抵抗器と、
前記第五の抵抗器の他端に接続される第二の端子と、
前記夜間照光用発光素子の他方の電極および前記第五の抵抗器の一端に一端が接続される第六の抵抗器と、
前記第六の抵抗器の他端に接続される第三の端子と、
を有し、
前記スイッチの一方の端子には前記インジケータ用発光素子の一方の電極が接続され、
前記インジケータ用発光素子の他方の電極に一端が接続される第七の抵抗器と、
前記第七の抵抗器の他端に接続される第四の端子と、
前記インジケータ用発光素子の他方の電極および前記第七の抵抗器の一端に一端が接続される第八の抵抗器と、
前記スイッチの他方の端子に接続される第五の端子と、
前記第八の抵抗器の他端に接続される第六の端子と、
を有する、
ことを特徴とする照光ユニット。
【請求項６】
車両の運転室に備えられたインジケータパネル上に配置され、スイッチと、前記スイッチの開閉の状態を表示するインジケータ部と、前記インジケータ部の表示を照光するインジケータ用発光素子と、を有する照光ユニットにおいて、
前記スイッチの一方の端子には前記インジケータ用発光素子の一方の電極が接続され、
前記インジケータ用発光素子の他方の電極に一端が接続される第七の抵抗器と、
前記第七の抵抗器の他端に接続される第四の端子と、
前記インジケータ用発光素子の他方の電極および前記第七の抵抗器の一端に一端が接続される第八の抵抗器と、
前記スイッチの他方の端子に接続される第五の端子と、
前記第八の抵抗器の他端に接続される第六の端子と、
を有する、
ことを特徴とする照光ユニット。
【請求項７】
請求項１または４記載の照光ユニットに電源を供給するコネクタにおいて、
前記電源の電圧が第一の電圧値であるときには、前記第一および第二の端子と着脱自在の接触子が構成され、
前記電源の電圧が第二の電圧値であるときには、前記第一および第三の端子と着脱自在の接触子が構成される、
ことを特徴とするコネクタ。
【請求項８】
請求項２または５記載の照光ユニットに電源を供給するコネクタにおいて、
前記電源の電圧が第一の電圧値であるときには、前記第一の端子、前記第二の端子、前記第四の端子、および前記第五の端子と着脱自在の接触子が構成され、
前記電源の電圧が第二の電圧値であるときには、前記第一の端子、前記第三の端子、前記第五の端子、および前記第六の端子と着脱自在の接触子が構成される、
ことを特徴とするコネクタ。
【請求項９】
請求項３または６記載の照光ユニットに電源を供給するコネクタにおいて、
前記電源の電圧が第一の電圧値であるときには、前記第四の端子、および前記第五の端子と着脱自在の接触子が構成され、
前記電源の電圧が第二の電圧値であるときには、前記第五の端子、および前記第六の端子と着脱自在の接触子が構成される、
ことを特徴とするコネクタ。
【請求項１０】
請求項１から６のいずれか１項記載の照光ユニットと、
前記照光ユニットが嵌め込まれる開口部と、
前記開口部に前記照光ユニットが嵌め込まれた状態で前記照光ユニットの端子に接触子が接触するように配設される請求項７から９のいずれか１項記載のコネクタと、
を有する、
ことを特徴とするインジケータパネル。
【請求項１１】
請求項１０記載のインジケータパネルを有することを特徴とする車両。
【発明の詳細な説明】
【技術分野】
【０００１】
本発明は、照光ユニット、コネクタおよびインジケータパネル並びに車両に関する。
【背景技術】
【０００２】
車両の運転室には、様々なインジケータ類またはスイッチ類が備えられている。これらのインジケータ類またはスイッチ類は、夜間でも視認性が良いように、内部に光源が設けられた照光ユニットとして構成されている。
【０００３】
一方、自動車のバッテリは、乗用車では、一般的に、ＤＣ１２Ｖ（直流１２ボルト）であり、トラックやバスなどの商用車では、一般的に、ＤＣ２４Ｖ（直流２４ボルト）である。そこで、乗用車と商用車とで同一の照光ユニットを共用する場合、ＤＣ１２ＶおよびＤＣ２４Ｖの双方で動作可能であることが要求される。この要求を満たすために、たとえば特許文献１では、電源電圧に応じて２つのランプの直列接続と並列接続とを切り換えられるようになっている。
【０００４】
この特許文献１では、電源電圧がＤＣ１２Ｖのときには、２つのランプを並列接続し、電源電圧がＤＣ２４Ｖのときには、２つのランプを直列接続する。これにより電源電圧がＤＣ１２Ｖのときには、照光ユニットはランプ１個分の抵抗値を呈するのに対し、電源電圧がＤＣ２４Ｖのときには、照光ユニットはランプ２個分の抵抗値を呈することになるので、異なる電源電圧に対応することができる。
【先行技術文献】
【特許文献】
【０００５】
【特許文献１】特開平５−２９９１８１号公報
【発明の概要】
【発明が解決しようとする課題】
【０００６】
上述した特許文献１の照光ユニットでは、電源電圧の検出回路および２つのランプの直列接続と並列接続との切り換え回路など、複雑な回路構成を必要とする。さらに、２つのランプの直列接続と並列接続とを切り換える方式では、直列接続の際にランプに流れる電流値と並列接続の際にランプに流れる電流値とでは電流値が異なり、ランプの明るさに差異が生じる。これによれば設計者は、同じ照光ユニットでありながら電源電圧に応じて輝度の計算を変更する必要があり、設計に手間を要すると共に、設計の誤りを生じ易くなる。
【０００７】
本発明は、このような背景の下に行われたものであって、簡単な回路構成であり電源電圧の相違によって輝度が変化することのない異なる電圧で動作が可能な照光ユニットを提供することを目的とし、さらに、この照光ユニットに係るコネクタおよびインジケータパネル並びに車両を提供することを目的とする。
【課題を解決するための手段】
【０００８】
本発明の１つの観点は、照光ユニットとしての観点である。本発明の照光ユニットは、車両の運転室に備えられたインジケータパネル上に配置され、スイッチの種別を表す文字または数字または記号または図形が配置された夜間照光部と、夜間照光部の表示を照光する夜間照光用発光素子と、を有する照光ユニットにおいて、夜間照光用発光素子の一方の電極に接続される第一の端子と、夜間照光用発光素子の他方の電極に一端が接続される第一の抵抗器と、第一の抵抗器の他端に接続される第二の端子と、第一の抵抗器の他端および第二の端子に一端が接続される第二の抵抗器と、第二の抵抗器の他端に接続される第三の端子と、を有するものである。
【０００９】
本発明の別の照光ユニットは、車両の運転室に備えられたインジケータパネル上に配置され、スイッチと、スイッチの種別を表す文字または数字または記号または図形が配置された夜間照光部と、夜間照光部の表示を照光する夜間照光用発光素子と、スイッチの開閉の状態を表示するインジケータ部と、インジケータ部の表示を照光するインジケータ用発光素子と、を有する照光ユニットにおいて、夜間照光用発光素子の一方の電極に接続される第一の端子と、夜間照光用発光素子の他方の電極に一端が接続される第一の抵抗器と、第一の抵抗器の他端に接続される第二の端子と、第一の抵抗器の他端および第二の端子に一端が接続される第二の抵抗器と、第二の抵抗器の他端に接続される第三の端子と、を有し、スイッチの一方の端子にはインジケータ用発光素子の一方の電極が接続され、インジケータ用発光素子の他方の電極に一端が接続される第三の抵抗器と、第三の抵抗器の他端に接続される第四の端子と、第三の抵抗器の他端および第四の端子に一端が接続される第四の抵抗器と、スイッチの他方の端子に接続される第五の端子と、第四の抵抗器の他端に接続される第六の端子と、を有するものである。
【００１０】
本発明のさらに別の照光ユニットは、車両の運転室に備えられたインジケータパネル上に配置され、スイッチと、スイッチの開閉の状態を表示するインジケータ部と、インジケータ部の表示を照光するインジケータ用発光素子と、を有する照光ユニットにおいて、スイッチの一方の端子にはインジケータ用発光素子の一方の電極が接続され、インジケータ用発光素子の他方の電極に一端が接続される第三の抵抗器と、第三の抵抗器の他端に接続される第四の端子と、第三の抵抗器の他端および第四の端子に一端が接続される第四の抵抗器と、スイッチの他方の端子に接続される第五の端子と、第四の抵抗器の他端に接続される第六の端子と、を有するものである。
【００１１】
本発明のさらに別の照光ユニットは、車両の運転室に備えられたインジケータパネル上に配置され、スイッチの種別を表す文字または数字または記号または図形が配置された夜間照光部と、夜間照光部の表示を照光する夜間照光用発光素子と、を有する照光ユニットにおいて、夜間照光用発光素子の一方の電極に接続される第一の端子と、夜間照光用発光素子の他方の電極に一端が接続される第五の抵抗器と、第五の抵抗器の他端に接続される第二の端子と、夜間照光用発光素子の他方の電極および第五の抵抗器の一端に一端が接続される第六の抵抗器と、第六の抵抗器の他端に接続される第三の端子と、を有するものである。
【００１２】
本発明のさらに別の照光ユニットは、車両の運転室に備えられたインジケータパネル上に配置され、スイッチと、スイッチの種別を表す文字または数字または記号または図形が配置された夜間照光部と、夜間照光部の表示を照光する夜間照光用発光素子と、スイッチの開閉の状態を表示するインジケータ部と、インジケータ部の表示を照光するインジケータ用発光素子と、を有する照光ユニットにおいて、夜間照光用発光素子の一方の電極に接続される第一の端子と、夜間照光用発光素子の他方の電極に一端が接続される第五の抵抗器と、第五の抵抗器の他端に接続される第二の端子と、夜間照光用発光素子の他方の電極および第五の抵抗器の一端に一端が接続される第六の抵抗器と、第六の抵抗器の他端に接続される第三の端子と、を有し、スイッチの一方の端子にはインジケータ用発光素子の一方の電極が接続され、インジケータ用発光素子の他方の電極に一端が接続される第七の抵抗器と、第七の抵抗器の他端に接続される第四の端子と、インジケータ用発光素子の他方の電極および第七の抵抗器の一端に一端が接続される第八の抵抗器と、スイッチの他方の端子に接続される第五の端子と、第八の抵抗器の他端に接続される第六の端子と、を有するものである。
【００１３】
本発明のさらに別の照光ユニットは、車両の運転室に備えられたインジケータパネル上に配置され、スイッチと、スイッチの開閉の状態を表示するインジケータ部と、インジケータ部の表示を照光するインジケータ用発光素子と、を有する照光ユニットにおいて、スイッチの一方の端子にはインジケータ用発光素子の一方の電極が接続され、インジケータ用発光素子の他方の電極に一端が接続される第七の抵抗器と、第七の抵抗器の他端に接続される第四の端子と、インジケータ用発光素子の他方の電極および第七の抵抗器の一端に一端が接続される第八の抵抗器と、スイッチの他方の端子に接続される第五の端子と、第八の抵抗器の他端に接続される第六の端子と、を有するものである。
【００１４】
また、本発明のこれらの照光ユニットでは、夜間照光用発光素子またはインジケータ用発光素子は、並列に接続された複数の発光ダイオードを有することもできる。
【００１５】
本発明の他の観点は、コネクタとしての観点である。本発明のコネクタは、車両の運転室に備えられたインジケータパネル上に配置され、スイッチと、スイッチの種別を表す文字または数字または記号または図形が配置された夜間照光部と、夜間照光部の表示を照光する夜間照光用発光素子と、を有する照光ユニットに電源を供給するコネクタにおいて、電源の電圧が第一の電圧値であるときには、第一および第二の端子と着脱自在の接触子が構成され、電源の電圧が第二の電圧値であるときには、第一および第三の端子と着脱自在の接触子が構成されるものである。
【００１６】
本発明の別のコネクタは、車両の運転室に備えられたインジケータパネル上に配置され、スイッチと、スイッチの種別を表す文字または数字または記号または図形が配置された夜間照光部と、夜間照光部の表示を照光する夜間照光用発光素子と、スイッチの開閉の状態を表示するインジケータ部と、インジケータ部の表示を照光するインジケータ用発光素子と、を有する照光ユニットに電源を供給するコネクタにおいて、電源の電圧が第一の電圧値であるときには、第一の端子、第二の端子、第四の端子、および第五の端子と着脱自在の接触子が構成され、電源の電圧が第二の電圧値であるときには、第一の端子、第三の端子、第五の端子、および第六の端子と着脱自在の接触子が構成されるものである。
【００１７】
本発明の別のコネクタは、車両の運転室に備えられたインジケータパネル上に配置され、スイッチと、スイッチの開閉の状態を表示するインジケータ部と、インジケータ部の表示を照光するインジケータ用発光素子と、を有する照光ユニットに電源を供給するコネクタにおいて、電源の電圧が第一の電圧値であるときには、第四の端子、および第五の端子と着脱自在の接触子が構成され、電源の電圧が第二の電圧値であるときには、第五の端子、および第六の端子と着脱自在の接触子が構成されるものである。
【００１８】
本発明のさらに他の観点は、インジケータパネルとしての観点である。本発明のインジケータパネルは、本発明の照光ユニットと、照光ユニットが嵌め込まれる開口部と、開口部に照光ユニットが嵌め込まれた状態で照光ユニットの端子に接触子が接触するように配設される本発明のコネクタと、を有するものである。
【００１９】
本発明のさらに他の観点は、車両としての観点である。本発明の車両は、本発明のインジケータパネルを有するものである。
【発明の効果】
【００２０】
本発明によれば、簡単な回路構成であり電源電圧の相違によって輝度が変化することのない異なる電圧で動作が可能な照光ユニットを実現できる。
【図面の簡単な説明】
【００２１】
【図１】本発明の実施の形態のインジケータパネルを正面から見た図である。
【図２】図1のインジケータパネルを側面から見た図である。
【図３】ＤＣ１２Ｖで使用する際の本発明の第一の実施の形態の照光ユニットを側面から見た状態を示す図である。
【図４】ＤＣ２４Ｖで使用する際の本発明の第一の実施の形態の照光ユニットを側面から見た状態を示す図である。
【図５】本発明の第一の実施の形態の照光ユニットの内部構成および内部結線状態を示す図である。
【図６】ＤＣ１２Ｖで使用する際の本発明の第一の実施の形態のコネクタを側面から見た状態を示す図である。
【図７】ＤＣ２４Ｖで使用する際の本発明の第一の実施の形態のコネクタを側面から見た状態を示す図である。
【図８】ＤＣ１２Ｖで使用する際の本発明の第二の実施の形態の照光ユニットを側面から見た状態を示す図である。
【図９】ＤＣ２４Ｖで使用する際の本発明の第二の実施の形態の照光ユニットを側面から見た状態を示す図である。
【図１０】本発明の第二の実施の形態の照光ユニットの内部構成および内部結線状態を示す図である。
【図１１】ＤＣ１２Ｖで使用する際の本発明の第二の実施の形態のコネクタを側面から見た状態を示す図である。
【図１２】ＤＣ２４Ｖで使用する際の本発明の第二の実施の形態のコネクタを側面から見た状態を示す図である。
【図１３】本発明の第三の実施の形態の照光ユニットの内部構成および内部結線状態を示す図である。
【図１４】本発明の第四の実施の形態の照光ユニットの内部構成および内部結線状態を示す図である。
【図１５】本発明の第五の実施の形態の照光ユニットの内部構成および内部結線状態を示す図である。
【図１６】本発明の第六の実施の形態の照光ユニットの内部構成および内部結線状態を示す図である。
【図１７】本発明のその他の実施の形態のインジケータ部およびスイッチを有さない照光ユニットの内部構成および内部結線状態を示す図である。
【図１８】本発明のその他の実施の形態の発光ユニットの内部構成および内部結線状態を示す図である。
【発明を実施するための形態】
【００２２】
（概要）
本発明の実施の形態のインジケータパネル１およびこれを構成する照光ユニット１０，１０Ａ，１０Ｂ，１０Ｃ，１０Ｄ，１０Ｅおよびコネクタ２０，２０Ａ，２０Ｂ，２０Ｃの概要について、図１および図２を参照しながら説明する。ここで、照光ユニット１０およびコネクタ２０，２０Ａは、後述する第一の実施の形態に適用され、照光ユニット１０Ａおよびコネクタ２０Ｂ，２０Ｃは、後述する第二の実施の形態に適用され、照光ユニット１０Ｂおよびコネクタ２０，２０Ａは、後述する第三の実施の形態に適用され、照光ユニット１０Ｃおよびコネクタ２０Ｂ，２０Ｃは、後述する第四の実施の形態に適用され、照光ユニット１０Ｄは、後述する第五の実施の形態に適用され、照光ユニット１０Ｅは、後述する第六の実施の形態に適用される。
【００２３】
インジケータパネル１は、図1および図２に示すように、パネル２、照光ユニット１０，１０Ａ，１０Ｂ，１０Ｃ，１０Ｄ，１０Ｅ、コネクタ２０，２０Ａ，２０Ｂ，２０Ｃから構成される。パネル２には、照光ユニット１０，１０Ａ，１０Ｂ，１０Ｃ，１０Ｄ，１０Ｅが嵌め込まれる開口部５が設けられている。コネクタ２０，２０Ａ，２０Ｂ，２０Ｃは、開口部５に照光ユニット１０，１０Ａ，１０Ｂ，１０Ｃ，１０Ｄ，１０Ｅが嵌め込まれると、後述する照光ユニット１０，１０Ａ，１０Ｂ，１０Ｃ，１０Ｄ，１０Ｅの端子１１〜１６とコネクタ２０，２０Ａ，２０Ｂ，２０Ｃの接触子２１〜２６とが接触する位置に固定的に配設されている。
【００２４】
照光ユニット１０，１０Ａ，１０Ｂ，１０Ｃ，１０Ｄ，１０Ｅは、車両（不図示）の運転室内などに設置され、運転者が操作するスイッチとして用いられる。照光ユニット１０，１０Ａ，１０Ｂ，１０Ｃは、スイッチの種別を表す文字または数字または記号または図形の表示を照光する夜間照光部４を有する。また、照光ユニット１０Ａ，１０Ｃは、夜間照光部４の機能に加え、スイッチの開閉の状態を表示するインジケータ部３をさらに有する。照光ユニット１０Ｄ，１０Ｅは、インジケータ部３のみを有する。
【００２５】
図１の右側の照光ユニット１０Ａ，１０Ｃは、窓の曇りを除去するデフォッガのスイッチとして用いられている。この場合、照光ユニット１０Ａ，１０Ｃの表示面にはデフォッガを表す図形が描かれている。この図形は、夜間照光部４によって照光される位置に描かれており、たとえば運転者が車両のライトを点灯または消灯させることによって夜間照光部４の位置に描かれている図形も照光または消光する。また、運転者がこの図形が描かれている面を指などで押圧するとデフォッガがＯＮ状態になる。デフォッガがＯＮ状態のときに、インジケータ部３が照光される。再度、運転者が、図形が描かれている面を指などで押圧するとデフォッガがＯＦＦ状態になり、インジケータ部３も消光する。
【００２６】
また、図１の中央の照光ユニット１０，１０Ｂは、ハザードランプのスイッチとして用いられている。この場合、照光ユニット１０，１０Ｂの表示面にはハザードを表す図形が描かれている。この図形は、夜間照光部４によって照光される位置に描かれており、運転者が車両のライトを点灯または消灯させることによって夜間照光部４の位置に描かれている図形も照光または消光する。運転者がこの図形が描かれている面を指などで押圧するとハザードランプが点滅を開始する。再度、運転者が、図形が描かれている面を指などで押圧するとハザードランプが点滅を終了する。なお、ハザードランプの点滅の状態は、方向指示器の表示ランプ（不図示）などによって確認できるので、照光ユニット１０，１０Ｂ自体にはインジケータ部３を必要としない。このように、照光ユニット１０，１０Ｂは、インジケータ部３を必要としない用途に適用される。
【００２７】
図１の左側の照光ユニット１０Ｄ，１０Ｅは、ＤＰＲ(ディーゼル・パティキュレート・リダクション)のスイッチとして用いられている。ＤＰＲとは、排気ガスに含まれるパティキュレートを除去するためのフィルタを再生処理することであり、ＤＰＲのスイッチをＯＮ状態にするとエンジンを高負荷で運転させてフィルタ内部の温度を上昇させるなどの制御が実施される。この場合、照光ユニット１０Ｄ，１０Ｅの表示面にはＤＰＲの文字が描かれている。ＤＰＲのスイッチは、他のスイッチに比べると使用頻度はきわめて低いので、ＤＰＲの文字を夜間照光する必要性は低く、ＤＰＲの文字は夜間照光されない。
【００２８】
たとえば不図示のＥＣＵ(Electric Control Unit)などがＤＰＲの処理が必要であることを判断した際に、インジケータ部３がＥＣＵなどからの外部の信号により点滅し、運転者にＤＰＲの処理の作動を促すウォーニングとし、運転者がこの文字が描かれている面を指などで押圧するとＤＰＲがＯＮ状態になる。ＥＣＵは、ＤＰＲがＯＮ状態のときには、インジケータ部３が照光されるように、照光ユニット１０Ｄ，１０Ｅに電源を供給する。やがて、ＤＰＲの処理が完了すると、ＤＰＲがＯＦＦ状態になり、ＥＣＵは、照光ユニット１０Ｄ，１０Ｅへの電源の供給を停止させ、インジケータ部３は消光する。このように、照光ユニット１０Ｄ，１０Ｅは、インジケータ部３のみを必要とし、夜間照光部４を必要としない用途に適用される。
【００２９】
（本発明の第一の実施の形態の照光ユニット１０について）
本発明の第一の実施の形態の照光ユニット１０について図３〜図７を参照して説明する。照光ユニット１０は、図３および図４の側面図に示すように、後端部（図面の右側）に５つの端子１１，１２，１３，１４，および１５を有し、内部に発光ダイオード３０およびスイッチ４０を有する。なお、発光ダイオード３０およびスイッチ４０の周辺回路の詳細な構成については図３および図４では記載を省略してある。これら５つの端子１１，１２，１３，１４，１５のうちで端子１１，１２，１３は、発光ダイオード３０に係わるものであり、端子１４，１５は、スイッチ４０に係わるものである。
【００３０】
また、図３に示すように、照光ユニット１０には、電源電圧としてＤＣ１２Ｖを照光ユニット１０に供給するコネクタ２０が接続されている。コネクタ２０は、４つの接触子２１，２２，２４，および２５とハウジング２９（破線部分）とを有する。これら４つの接触子２１，２２，２４，２５のうちで接触子２１，２２は、照光ユニット１０の内部の発光ダイオード３０に係わるものであり、接触子２４，２５は、照光ユニット１０の内部のスイッチ４０に係わるものである。なお、以下の説明において、端子に印加される電圧の極性の説明は省略するが、発光ダイオードのアノードに接続されている端子には、プラスの極性の電圧が印加され、発光ダイオードのカソードに接続されている端子には、マイナスの極性の電圧が印加される。
【００３１】
また、図４に示すように、照光ユニット１０には、電源電圧としてＤＣ２４Ｖを供給するコネクタ２０Ａが接続されている。コネクタ２０Ａは、４つの接触子２１，２３，２４，および２５とハウジング２９とを有する。これら４つの接触子２１，２３，２４，２５のうちで接触子２１，２３は、照光ユニット１０の内部の発光ダイオード３０に係わるものであり、接触子２４，２５は、照光ユニット１０の内部のスイッチ４０に係わるものである。
【００３２】
照光ユニット１０は、図５の内部構成に示すように、発光ダイオード３０、抵抗器３１（請求項でいう第一の抵抗器）、抵抗器３２（請求項でいう第二の抵抗器）、およびスイッチ（請求項でいうスイッチ）４０を有する。
【００３３】
発光ダイオード３０は、たとえばＤＣ５Ｖで発光する発光素子である。発光ダイオード３０のカソード側には、端子１１が接続され、発光ダイオード３０のアノード側には、抵抗器３１が接続される。
【００３４】
抵抗器３１は、その一端が発光ダイオード３０のアノード側に接続されると共に、その他端が端子１２および抵抗器３２の一端に接続される。
【００３５】
抵抗器３２は、その一端が抵抗器３１の他端に接続されると共に、その他端が端子１３に接続される。
【００３６】
スイッチ４０は、その一端が端子１４に接続されると共に、その他端が端子１５に接続される。なお、スイッチ４０は、照光ユニット１０の筐体の一部に設けられた操作部（図１の図形または文字が描かれている部分)によって押圧されることにより、接点間が閉結されて端子１４と端子１５との間が導通する構造である。なお、上記の操作部とスイッチ４０との連動機構についてはどのような構成でもよく図示および説明を省略する。
【００３７】
また、スイッチ４０は、操作部の押圧を解除するとスイッチ４０の接点間の導通状態もほぼ同時に開放される方式（モーメンタリ形）としてもよいし、あるいは操作部の押圧を解除してもスイッチ４０の接点間の導通状態は継続されたままであり、再度、操作部を押圧するとスイッチ４０の接点間の導通状態が解除される方式（オルタネイト形またはロック式）としてもよい。さらに、図４の例では、スイッチ４０が押圧されると接点間が閉結されるメーク形接点を図示したが、非押圧時に接点間が閉結されており押圧時に接点間が開放されるブレーク形接点であってもよい。なお、スイッチ４０については以下の全ての実施の形態においても同様である。
【００３８】
電源電圧がＤＣ１２Ｖの場合、図３に示すように、コネクタ２０の接触子２１，２２によって、照光ユニット１０の端子１１，１２にＤＣ１２Ｖが供給される。照光ユニット１０の端子１１，１２に供給された電源電圧（ＤＣ１２Ｖ）は、図５に示すように、抵抗器３１を介して発光ダイオード３０に供給される。このとき、抵抗器３１による電圧降下によって端子１１，１２に印加されたＤＣ１２Ｖの電圧が発光ダイオード３０の最適な動作電圧（たとえばＤＣ５Ｖ）になるように抵抗器３１の抵抗値が設定されている。これにより、発光ダイオード３０は、照光ユニット１０に供給されたＤＣ１２Ｖの電圧から降圧された最適な動作電圧により動作することができる。
【００３９】
また、電源電圧がＤＣ２４Ｖの場合、図４に示すように、コネクタ２０Ａの接触子２１，２３によって、照光ユニット１０の端子１１，１３にＤＣ２４Ｖが供給される。照光ユニット１０の端子１１，１３に供給された電源電圧（ＤＣ２４Ｖ）は、図５に示すように、直列に接続されている抵抗器３１および抵抗器３２を介して発光ダイオード３０に供給される。このとき、直列に接続されている抵抗器３１の抵抗値とよび抵抗器３２の抵抗値との和による電圧降下によって端子１１，１３に印加されたＤＣ２４Ｖの電圧が発光ダイオード３０の最適な動作電圧になるように抵抗器３１の抵抗値と抵抗器３２の抵抗値とが設定されている。これにより、発光ダイオード３０は、照光ユニット１０に供給されたＤＣ２４Ｖの電圧から降圧された最適な動作電圧により動作することができる。
【００４０】
次に、コネクタ２０の構成を図６に示し、コネクタ２０Ａの構成を図７に示す。コネクタ２０には接触子２３（破線で図示）が無く、コネクタ２０Ａには接触子２２（破線で図示）が無い。ハウジング２９は、コネクタ２０，２０Ａの双方で共通であり、接触子２１，２２，２３，２４，２５を挿入するための５つの挿入孔（不図示）が設けられている。照光ユニット１０に、ＤＣ１２Ｖを供給するコネクタ２０であれば、ハウジング２９における接触子２３を挿入するための挿入孔を不使用とし、照光ユニット１０に、ＤＣ２４Ｖを供給するコネクタ２０Ａであれば、ハウジング２９における接触子２２を挿入するための挿入孔を不使用とする。
【００４１】
（効果について）
以上説明したように、照光ユニット１０は、発光ダイオード３０および２つの抵抗器３１，３２による簡単な回路構成とし、組み立て工数またはコストを低く抑えることができる。また、照光ユニット１０は、抵抗器３１，３２の抵抗値を適切に設定することによって、電源電圧が異なっても発光ダイオード３０に印加される電圧値を一定に保つことができる。これにより照光ユニット１０は、電源電圧の相違によって輝度が変化することがない。これによれば設計者は、電源電圧の相違による輝度の相違などを考慮する必要が無く、設計上の利便性を向上させることができる。
【００４２】
さらに、電源電圧の相違に対応した２種類のコネクタ２０，２０Ａを用いるので、電源電圧の相違によって、予めコネクタ２０またはコネクタ２０Ａのいずれか一方のみを用意しておくことができる。たとえばインジケータパネル１をＤＣ１２Ｖのバッテリを搭載している乗用車で用いる場合、パネル２の背後に、コネクタ２０を配設しておき、インジケータパネル１をＤＣ２４Ｖのバッテリを搭載している商用車で用いる場合、パネル２の背後に、コネクタ２０Ａを配設しておく。このようにすることによって、パネル２に照光ユニット１０を嵌め込む工程において、作業者が電源電圧の相違を考慮して配線を異なる配線とするなどの作業が必要なく、誤接続を回避することができる。
【００４３】
また、照光ユニット１０をＤＣ１２ＶまたはＤＣ２４Ｖの２種類の電圧値で用いる場合、抵抗器３１の抵抗値と抵抗器３２の抵抗値との和は、抵抗器３１の抵抗値の２倍になるので、抵抗器３１の抵抗値と抵抗器３２の抵抗値とを同じ値にすることができる。これにより、抵抗器３１，３２のための部品点数を１種類にすることができ、部品の管理を容易にすることができる。
【００４４】
また、２種類のコネクタ２０，２０Ａを用いるとはいえ、ハウジング２９および接触子２１〜２５は、コネクタ２０，２０Ａで共通であり、２種類分の部品点数を必要とはしないので、これらの部品の管理を容易にすることができる。すなわちＤＣ１２ＶとＤＣ２４Ｖでコネクタ２０，２０Ａは異なるが、コネクタ２０，２０Ａが異なっても、単に、ハウジング２９に対する接触子２１〜２５のアッセンブリーが異なるだけであり、部品点数が増加することは無い。
【００４５】
（本発明の第二の実施の形態の照光ユニット１０Ａについて）
本発明の第二の実施の形態の照光ユニット１０Ａについて図８〜図１２を参照して説明する。照光ユニット１０Ａは、図８および図９に示すように、照光ユニット１０に対し、さらにインジケータ部３が追加されたものである。このためインジケータ部３のための発光ダイオード３０−１と夜間照光部４のための発光ダイオード３０−２を有する。さらに、照光ユニット１０の２つの端子１４，１５に代えて、照光ユニット１０Ａでは、３つの端子１６，１７，１８を有する。同様に、コネクタ２０Ｂ，２０Ｃについても、コネクタ２０，２０Ａの２つの接触子２４，２５が挿入可能であるのに代えて、コネクタ２０Ｂ，２０Ｃでは、３つの接触子２６，２７，２８が挿入可能である。
【００４６】
すなわち、図８に示すように、照光ユニット１０Ａには、電源電圧としてＤＣ１２Ｖを照光ユニット１０Ａに供給するコネクタ２０Ｂが接続されている。コネクタ２０Ｂは、４つの接触子２１，２２，２６，および２７とハウジング２９Ａ（破線部分）とを有する。これら４つの接触子２１，２２，２６，２７のうちで接触子２１，２２は、照光ユニット１０Ａの夜間照光部４の発光ダイオード３０−２に係わるものであり、接触子２６，２７は、照光ユニット１０Ａのスイッチ４０およびインジケータ部３の発光ダイオード３０−１に係わるものである。
【００４７】
また、図９に示すように、照光ユニット１０Ａには、電源電圧としてＤＣ２４Ｖを供給するコネクタ２０Ｃが接続されている。コネクタ２０Ｃは、４つの接触子２１，２３，２７，および２８とハウジング２９Ａとを有する。これら４つの接触子２１，２３，２７，２８のうちで接触子２１，２３は、照光ユニット１０Ａの夜間照光部４の発光ダイオード３０−２に係わるものであり、接触子２７，２８は、照光ユニット１０Ａのスイッチ４０およびインジケータ部３の発光ダイオード３０−１に係わるものである。
【００４８】
照光ユニット１０Ａは、図１０の内部構成図に示すように、発光ダイオード３０−１（請求項でいうインジケータ用発光素子）、発光ダイオード３０−２（請求項でいう夜間照光用発光素子）、抵抗器３１−１（請求項でいう第三の抵抗器）、抵抗器３２−１（請求項でいう第四の抵抗器）、およびスイッチ（請求項でいうスイッチ）４０を有する。
【００４９】
発光ダイオード３０-１，３０−２は、たとえばＤＣ５Ｖで発光する発光素子である。なお、発光ダイオード３０−２、抵抗器３１−２，３２−２、端子１１，１２，１３に関する説明は、第一の実施の形態の発光ダイオード３０、抵抗器３１，３２に関する説明と同じなので説明を省略し、以下では、主に、発光ダイオード３０−１、抵抗器３１−１，３２−１、端子１６，１７，１８に関する説明を行う。
【００５０】
図１０に示すように、照光スイッチ１０Ａは、スイッチ４０の一方の端子には発光ダイオード３０−１のカソード側が接続され、発光素子３０−１のアノード側に一端が接続される抵抗器３１−１と、抵抗器３１−１の他端に接続される端子１６と、抵抗器３１−１の他端および端子１６に一端が接続される抵抗器３２−１と、スイッチ４０の他方の端子に接続される端子１７と、抵抗器３２−１の他端に接続される端子１８と、を有する。
【００５１】
電源電圧がＤＣ１２Ｖの場合、図８に示すように、コネクタ２０Ｂの接触子２１，２２,２６，２７によって、照光ユニット１０Ａの端子１１，１２,１６，１７にＤＣ１２Ｖが供給される。照光ユニット１０Ａのスイッチ４０が閉結されている状態（ＯＮ状態）では、端子１６，１７に供給された電源電圧（ＤＣ１２Ｖ）は、図１０に示すように、抵抗器３１−１を介して発光ダイオード３０−１に供給される。このとき、抵抗器３１−１による電圧降下によって端子１６，１７に印加されたＤＣ１２Ｖの電圧が発光ダイオード３０−１の最適な動作電圧（たとえばＤＣ５Ｖ）になるように抵抗器３１−１の抵抗値が設定されている。これにより、発光ダイオード３０−１は、照光ユニット１０Ａに供給されたＤＣ１２Ｖの電圧から降圧された最適な動作電圧により動作することができる。また、スイッチ４０が開放されている状態（ＯＦＦ状態）では、端子１６と端子１７との間は、電気的に非導通状態であり、発光ダイオード３０−１は動作しない。
【００５２】
また、電源電圧がＤＣ２４Ｖの場合、図９に示すように、コネクタ２０Ｃの接触子２１，２３,２７，２８によって、照光ユニット１０Ａの端子１１，１３,１７，１８にＤＣ２４Ｖが供給される。照光ユニット１０Ａのスイッチ４０が閉結されている状態（ＯＮ状態）では、端子１７，１８に供給された電源電圧（ＤＣ２４Ｖ）は、図１０に示すように、抵抗器３１−１，３２−１を介して発光ダイオード３０−１に供給される。このとき、抵抗器３１−１，３２−１による電圧降下によって端子１７，１８に印加されたＤＣ２４Ｖの電圧が発光ダイオード３０−１の最適な動作電圧（たとえばＤＣ５Ｖ）になるように抵抗器３１−１，３２−１の抵抗値が設定されている。これにより、発光ダイオード３０−１は、照光ユニット１０Ａに供給されたＤＣ２４Ｖの電圧から降圧された最適な動作電圧により動作することができる。また、スイッチ４０が開放されている状態（ＯＦＦ状態）では、端子１７と端子１８との間は、電気的に非導通状態であり、発光ダイオード３０−１は動作しない。
【００５３】
次に、コネクタ２０Ｂの構成を図１１に示し、コネクタ２０Ｃの構成を図１２に示す。コネクタ２０Ｂには接触子２３，２８（破線で図示）が無く、コネクタ２０Ｃには接触子２２，２６（破線で図示）が無い。ハウジング２９Ａは、コネクタ２０Ｂ，２０Ｃの双方で共通であり、接触子２１，２２，２３，２６，２７，２８を挿入するための６つの挿入孔（不図示）が設けられている。照光ユニット１０Ａに、ＤＣ１２Ｖを供給するコネクタ２０Ｂであれば、ハウジング２９Ａにおける接触子２３，２８を挿入するための挿入孔を不使用とし、照光ユニット１０Ａに、ＤＣ２４Ｖを供給するコネクタ２０Ｃであれば、ハウジング２９Ａにおける接触子２２，２６を挿入するための挿入孔を不使用とする。
【００５４】
（効果について）
以上説明したように、照光ユニット１０Ａは、発光ダイオード３０−１，３０−２および４つの抵抗器３１−１，３１−２，３２−１，３２−２による簡単な回路構成とし、組み立て工数またはコストを低く抑えることができる。また、照光ユニット１０Ａは、抵抗器３１−１，３１−２，３２-１，３２−２の抵抗値を適切に設定することによって、電源電圧が異なっても発光ダイオード３０-１，３０−２に印加される電圧値を一定に保つことができる。これにより照光ユニット１０Ａは、電源電圧の相違によって輝度が変化することがない。これによれば設計者は、電源電圧の相違による輝度の相違などを考慮する必要が無く、設計上の利便性を向上させることができる。
【００５５】
さらに、電源電圧の相違に対応した２種類のコネクタ２０Ｂ，２０Ｃを用いるので、電源電圧の相違によって、予めコネクタ２０Ｂまたはコネクタ２０Ｃのいずれか一方のみを用意しておくことができる。たとえばインジケータパネル１をＤＣ１２Ｖのバッテリを搭載している乗用車で用いる場合、パネル２の背後に、コネクタ２０Ｂを配設しておき、インジケータパネル１をＤＣ２４Ｖのバッテリを搭載している商用車で用いる場合、パネル２の背後に、コネクタ２０Ｃを配設しておく。このようにすることによって、パネル２に照光ユニット１０Ａを嵌め込む工程において、作業者が電源電圧の相違を考慮して配線を異なる配線とするなどの作業が必要なく、誤接続を回避することができる。
【００５６】
また、照光ユニット１０ＡをＤＣ１２ＶまたはＤＣ２４Ｖの２種類の電圧値で用いる場合、第一の実施の形態でも説明したように、抵抗器３１-１,３２-１，３１−２，３２−２の抵抗値を全て同じ値にすることができる。これにより、抵抗器３１-１,３２-１，３１−２，３２−２のための部品点数を１種類にすることができ、部品の管理を容易にすることができる。
【００５７】
また、２種類のコネクタ２０Ｂ，２０Ｃを用いるとはいえ、ハウジング２９Ａおよび接触子２１〜２３，２６〜２８は、コネクタ２０Ｂ，２０Ｃで共通であり、２種類分の部品点数を必要とはしないので、これらの部品の管理を容易にすることができる。
【００５８】
（本発明の第三の実施の形態の照光ユニット１０Ｂについて）
本発明の第三の実施の形態の照光ユニット１０Ｂについて図１３を参照して説明する。照光ユニット１０Ｂでは、照光ユニット１０と同じく２つの抵抗器３３，３４を用いるが、その結線方法および抵抗値が照光ユニット１０とは異なる。
【００５９】
照光ユニット１０Ｂでは、発光ダイオード３０のアノード側に２つの抵抗器３３，３４の一端が共に接続される。さらに、発光ダイオード３０のカソード側が端子１１に接続され、抵抗器３３の他端が端子１２に接続され、発光ダイオード３０のアノード側が抵抗器３３,３４の一端に接続され、抵抗器３４の他端が端子１３に接続される。
【００６０】
これにより、図３に示すように、端子１１，１２にＤＣ１２Ｖが供給される場合、抵抗器３３を介して発光ダイオード３０に電圧が印加される。このとき、抵抗器３３による電圧降下によって端子１１，１２に印加されたＤＣ１２Ｖの電圧が発光ダイオード３０の最適な動作電圧になるように抵抗器３３の抵抗値が設定されており、発光ダイオード３０は最適な動作電圧により動作することができる。
【００６１】
また、図４に示すように、端子１１，１３にＤＣ２４Ｖが供給される場合、抵抗器３４を介して発光ダイオード３０に電圧が印加される。このとき、抵抗器３４による電圧降下によって端子１１，１３に印加されたＤＣ２４Ｖの電圧が発光ダイオード３０の最適な動作電圧になるように抵抗器３４の抵抗値が設定されており、発光ダイオード３０は最適な動作電圧により動作することができる。
【００６２】
すなわち照光ユニット１０における抵抗器３１の抵抗値と、照光ユニット１０Ｂにおける抵抗器３３の抵抗値とは同じ抵抗値とし、照光ユニット１０における抵抗器３１の抵抗値と抵抗器３２の抵抗値との和を、照光ユニット１０Ｂにおける１つの抵抗器３４の抵抗値とすればよい。
【００６３】
（効果について）
照光ユニット１０Ｂは、ＤＣ１２Ｖ用の抵抗器３３とＤＣ２４Ｖ用の抵抗器３４とを個別に用いる。よって、端子１１〜１３のレイアウトの変更に対して柔軟に対応することができる。たとえば上述の実施の形態では、ＤＣ１２Ｖでは端子１１，１２を用い、ＤＣ２４Ｖでは端子１１，１３を用いるレイアウトであるが、これを変更し、ＤＣ２４Ｖでは端子１１,１２を用い、ＤＣ１２Ｖでは端子１１，１３を用いるようにレイアウトを変更する場合、組み立て工程における抵抗器３３，３４の取り付け位置を変更するだけで容易に変更できる。一方、照光ユニット１０では、端子１１〜１３のレイアウトを変更する場合、抵抗器３１,３２と端子１２，１３との接続関係を変更する必要が生じ、たとえばプリント配線基板を用いて配線が行われている場合には、プリント配線基板の設計変更などを伴い、容易に変更ができない。
【００６４】
（本発明の第四の実施の形態の照光ユニット１０Ｃについて）
本発明の第四の実施の形態の照光ユニット１０Ｃについて図１４を参照して説明する。照光ユニット１０Ｃでは、照光ユニット１０Ａと同じく４つの抵抗器３３-１，３３−２，３４-１，３４−２を用いるが、その結線方法および抵抗値が照光ユニット１０Ａとは異なる。
【００６５】
照光ユニット１０Ｃは、発光ダイオード３０-１のアノード側にそれぞれ２つの抵抗器３３−１，３４−１の一端が共に接続され、発光ダイオード３０−２のアノード側にそれぞれ２つの抵抗器３３−２，３４−２の一端が共に接続される。さらに、発光ダイオード３０−２のカソード側が端子１１に接続され、抵抗器３３−２の他端が端子１２に接続され、抵抗器３４−２の他端が端子１３に接続され、発光ダイオード３０−１のカソード側がスイッチ４０の一端の端子に接続され、抵抗器３３−１の他端が端子１６に接続され、スイッチ４０の他端の端子が端子１７に接続され、抵抗器３４−１の他端が端子１８に接続される。
【００６６】
これにより、図８に示すように、端子１１，１２,１６，１７にＤＣ１２Ｖが供給される場合、抵抗器３３−２を介して発光ダイオード３０−２に電圧が印加され、さらにスイッチ４０が閉結されていれば、抵抗器３３-１を介して発光ダイオード３０−１に電圧が印加される。このとき、抵抗器３３-１，３３−２による電圧降下によって端子１１，１２,１６，１７に印加されたＤＣ１２Ｖの電圧が発光ダイオード３０-１，３０−２の最適な動作電圧になるように抵抗器３３-１，３３−２の抵抗値が設定されており、発光ダイオード３０-１，３０−２は最適な動作電圧により動作することができる。
【００６７】
また、図９に示すように、端子１１，１３,１７，１８にＤＣ２４Ｖが供給される場合、抵抗器３４−２を介して発光ダイオード３０−２に電圧が印加され、さらにスイッチ４０が閉結されていれば、抵抗器３４-１を介して発光ダイオード３０−１に電圧が印加される。このとき、抵抗器３４-１，３４−２による電圧降下によって端子１１，１３,１７，１８に印加されたＤＣ２４Ｖの電圧が発光ダイオード３０-１，３０−２の最適な動作電圧になるように抵抗器３４-１，３４−２の抵抗値が設定されており、発光ダイオード３０-１，３０−２は最適な動作電圧により動作することができる。
【００６８】
すなわち照光ユニット１０Ａにおける抵抗器３１-１，３１−２の抵抗値と、照光ユニット１０Ｃにおける抵抗器３３-１，３３−２の抵抗値とは同じ抵抗値とし、照光ユニット１０Ａにおける抵抗器３１-１の抵抗値と抵抗器３２-１の抵抗値との和、および抵抗器３１−２の抵抗値と抵抗器３２−２の抵抗値との和を、照光ユニット１０Ｃにおける抵抗器３４-１の抵抗値、および抵抗器３４−２の抵抗値とすればよい。
【００６９】
（効果について）
照光ユニット１０Ｃは、ＤＣ１２Ｖ用の抵抗器３３−１，３３−２とＤＣ２４Ｖ用の抵抗器３４−１，３４−２とをそれぞれ個別に用いる。よって、端子１１〜１３，１６〜１８のレイアウトの変更に対して柔軟に対応することができる。たとえば上述の実施の形態では、ＤＣ１２Ｖでは端子１１，１２，１６，１７を用い、ＤＣ２４Ｖでは端子１１，１３，１７，１８を用いるレイアウトであるが、これを変更し、ＤＣ２４Ｖでは端子１１,１２，１６，１７を用い、ＤＣ１２Ｖでは端子１１，１３，１７，１８を用いるようにレイアウトを変更する場合、組み立て工程における抵抗器３３−１，３３−２，３４−１，３４−２の取り付け位置を変更するだけで容易に変更できる。一方、照光ユニット１０Ａでは、端子１１〜１３,１６〜１８のレイアウトを変更する場合、抵抗器３１−１，３１−２,３２−１，３２−２と端子１２，１３，１６，１８との接続関係を変更する必要が生じ、たとえばプリント配線基板を用いて配線が行われている場合には、プリント配線基板の設計変更などを伴い、容易に変更ができない。
【００７０】
（本発明の第五の実施の形態の照光ユニット１０Ｄについて）
本発明の第五の実施の形態の照光ユニット１０Ｄについて図１５を参照して説明する。照光ユニット１０Ｄは、図１５に示すように、インジケータ部３のみを有する構成である。照光ユニット１０Ｄは、図１でＤＰＲのスイッチとして例示したものであり、使用頻度が低いスイッチなど、夜間照光の必要性が低いスイッチとして利用できる。なお、照光ユニット１０Ｄは、コネクタ２０Ｂ，２０Ｃを適用し、接触子２６，２７，２８を使用すればよい。
【００７１】
さらに、発光ダイオード３０−１のカソードと接続されている破線で図示した端子５０を追加し、端子５０と端子１６との間（ＤＣ１２Ｖ用）、または端子５０と端子１８との間（ＤＣ２４Ｖ用）に、電源を供給することにより、スイッチ４０が開状態であっても発光ダイオード３０−１を発光させることができる。これによれば、照光ユニット１０Ｄの外部からＥＣＵなどの制御によって、運転者にＤＰＲの処理の作動を促す際のウォーニングなどに、発光ダイオード３０−１を点滅させることができる。
【００７２】
(効果について)
照光ユニット１０Ｄは、照光ユニット１０Ａの夜間照光部４を省略した構成であるので、照光ユニット１０Ａが有する効果を有する。その他に、照光ユニット１０Ｄによれば夜間照光部４に相当する部品点数を減らすことができる。また、照光スイッチ１０Ｄによれば夜間照光のための電力消費を節減することができる。
【００７３】
（本発明の第六の実施の形態の照光ユニット１０Ｅについて）
本発明の第六の実施の形態の照光ユニット１０Ｅについて図１６を参照して説明する。照光ユニット１０Ｅは、図１６に示すように、インジケータ部３のみを有する構成である。照光ユニット１０Ｅは照光ユニット１０Ｄと同様に、図１でＤＰＲのスイッチとして例示したものであり、使用頻度が低いスイッチなど、夜間照光の必要性が低いスイッチとして利用できる。なお、照光ユニット１０Ｅは、コネクタ２０Ｂ，２０Ｃを適用し、接触子２６，２７，２８を使用すればよい。
【００７４】
さらに、発光ダイオード３０−１のカソードと接続されている破線で図示した端子５０を追加し、端子５０と端子１６との間（ＤＣ１２Ｖ用）、または端子５０と端子１８との間（ＤＣ２４Ｖ用）に、電源を供給することにより、スイッチ４０が開状態であっても発光ダイオード３０−１を発光させることができる。これによれば、照光ユニット１０Ｅの外部からＥＣＵなどの制御によって、運転者にＤＰＲの処理の作動を促す際のウォーニングなどに、発光ダイオード３０−１を点滅させることができる。
【００７５】
(効果について)
照光ユニット１０Ｅは、照光ユニット１０Ｃの夜間照光部４を省略した構成であるので、照光ユニット１０Ｃが有する効果を有する。その他に、照光ユニット１０Ｅによれば夜間照光部４に相当する部品点数を減らすことができる。また、照光スイッチ１０Ｅによれば夜間照光のための電力消費を節減することができる。
【００７６】
（インジケータパネル１およびインジケータパネル1を有する車両について）
以上説明した照光ユニット１０，１０Ａ，１０Ｂ，１０Ｃ，１０Ｄ，１０Ｅによりインジケータパネル１を構成することによって、部品点数を削減することができ、部品管理を容易にし、安価で短時間にインジケータパネル１を組み立てることができる。また、ＤＣ１２ＶまたはＤＣ２４Ｖの双方に適用でき、乗用車にもトラックやバスなどにも適用可能な汎用性の高いインジケータパネル１を提供することができる。また、このようなインジケータパネル１を車両に搭載することにより、部品点数を削減することができ、部品管理を容易にし、安価で短時間に組み立てることができる車両を提供することができる。
【００７７】
（その他の実施の形態について）
本発明の実施の形態は、その要旨を逸脱しない限り様々に変更が可能である。たとえば、図１７に示すように、スイッチ４０を有さずに、夜間照光部４のみの機能を有する照光ユニット１０Ｆを構成してもよい。照光ユニット１０Ｆによれば、別に設置されているスイッチの開閉状態の表示、あるいは車両の機能の稼動状態の表示などを行うことができる。なお、照光ユニット１０Ｆは、コネクタ２０，２０Ａを適用し、接触子２１，２２，２３を使用すればよい。なお、図１７では、内部の構成を図５に示す構成（すなわち発光ダイオード３０、抵抗器３１、３２からなる構成）の一部を転用した構成として図示したが、内部構成を図１３に示す構成（すなわち発光ダイオード３０、抵抗器３３，３４からなる構成）の一部を転用した構成としてもよい。
【００７８】
さらに、上述した実施の形態におけるスイッチ４０を、照光ユニット１０〜１０Ｅの外部に設置されているスイッチ、またはＥＣＵによって制御されるスイッチング素子などに置き換えても上述した実施の形態で説明した発光ダイオード３０，３０−１，３０−２の制御を行うことができる。
【００７９】
また、ＤＰＲの処理の作動を促すウォーニングを行う構成として、１つの照光ユニット内に、ウォーニング専用のインジケータ部を、上述したインジケータ部３の他に有する構成としてもよい。この場合、ウォーニング専用のインジケータ部の発光色は、赤などの目立つ色とし、通常のインジケータ部３は、青や緑などの目に優しい色にするなどとして発光色を変えてもよい。
【００８０】
また、上述の実施の形態では、単一の発光素子からなる発光ダイオード３０，３０−１，３０−２を例示したが、図１８に示すように、複数の発光ダイオード３０１，３０２，３０３を並列に接続して１つの発光ユニット３０Ａを構成してもよい。発光ユニット３０Ａは、上述の実施の形態における発光ダイオード３０,３０−１，３０−２と置き換えることができる。
【００８１】
また、上述の実施の形態では、説明を分かり易くするために、照光ユニット１０，１０Ｂでは５つの接触子２１〜２５が挿入可能なハウジング２９を使用し、照光ユニット１０Ａ、１０Ｃでは６つの接触子２１〜２３、２６〜２８が挿入可能なハウジング２９Ａを使用するとして説明した。これに対し、照光ユニット１０，１０Ａ，１０Ｂ，１０Ｃに共通に使用可能な１種類のハウジングを用いてもよい。この場合、このハウジングは、必要に応じて接触子の挿入数および挿入位置が変更できるように、予め接触子の挿入孔が６つ設けられているものである。また、照光ユニット１０，１０Ａ，１０Ｂ，１０Ｃの本体についてもこのハウジングと共通に嵌合し、端子位置が接触子位置と一致するような形状にする。これにより、コネクタの部品管理をさらに容易にすることができる。
【００８２】
また、これとは反対に、ハウジング２９および２９Ａは、コネクタ２０，２０Ａおよびコネクタ２０Ｂ，２０Ｃで共通であるとして説明したが、コネクタ２０，２０Ａ，２０Ｂ，２０Ｃ毎に異なる構造のハウジングを用いてもよい。たとえばコネクタ２０用のハウジングとして当初から接触子２３の挿入孔が塞がれている、あるいは設けられていない構造とし、コネクタ２０Ａ用のハウジングとして当初から接触子２２の挿入孔が塞がれている、あるいは設けられていない構造とする。これによればコネクタ２０，２０Ａに接触子２１，２２，２３，２４，２５を挿入する工程において、接触子２２または２３の誤挿入を防ぐことができる。
【００８３】
また、上述の実施の形態では、パネル２の開口部５に照光ユニット１０，１０Ａ，１０Ｂ，１０Ｃ，１０Ｄ，１０Ｅ，１０Ｆが嵌め込まれると、コネクタ２０，２０Ａ，２０Ｂ，２０Ｃの接触子２１〜２８がちょうど照光ユニット１０，１０Ａ，１０Ｂ，１０Ｃ，１０Ｄ，１０Ｅ，１０Ｆの端子１１〜１８と接触するようにコネクタ２０，２０Ａ，２０Ｂ，２０Ｃが固定的に配設されているとして説明した。これに対し、コネクタ２０，２０Ａ，２０Ｂ，２０Ｃは、固定されておらず、作業者が開口部５からコネクタ２０，２０Ａ，２０Ｂ，２０Ｃを引き出して照光ユニット１０，１０Ａ，１０Ｂ，１０Ｃ，１０Ｄ，１０Ｅ，１０Ｆに嵌め込み、照光ユニット１０，１０Ａ、１０Ｂ，１０Ｃ，１０Ｄ，１０Ｅ，１０Ｆにコネクタ２０，２０Ａ，２０Ｂ，２０Ｃが嵌め込まれた状態で照光ユニット１０，１０Ａ、１０Ｂ，１０Ｃ，１０Ｄ，１０Ｅ，１０Ｆを開口部５に嵌め込むようにしてもよい。
【符号の説明】
【００８４】
１…インジケータパネル、２…パネル、３…インジケータ部、４…夜間照光部、１０，１０Ａ，１０Ｂ，１０Ｃ，１０Ｄ，１０Ｅ，１０Ｆ…照光ユニット、１１（第一の端子），１２（第二の端子），１３（第三の端子），１４（第四の端子），１５（第五の端子），１６（第六の端子），１７（第七の端子），１８（第八の端子）…端子、２０，２０Ａ，２０Ｃ，２０Ｄ…コネクタ、２１〜２８…接触子、２９，２９Ａ…ハウジング、３０，３０−１，３０−２,３０１〜３０３…発光ダイオード（インジケータ用発光素子、夜間照光用発光素子）、３０Ａ…発光ユニット（発光素子）、３１（第一の抵抗器），３２（第二の抵抗器），３３（第三の抵抗器），３４（第四の抵抗器），３１−１（第五の抵抗器），３２−１（第六の抵抗器），３１−２（第七の抵抗器），３２−２（第八の抵抗器）…抵抗器
【図１】
0005700535.tif 000002
【図２】
0005700535.tif 000003
【図３】
0005700535.tif 000004
【図４】
0005700535.tif 000005
【図５】
0005700535.tif 000006
【図６】
0005700535.tif 000007
【図７】
0005700535.tif 000008
【図８】
0005700535.tif 000009
【図９】
0005700535.tif 000010
【図１０】
0005700535.tif 000011
【図１１】
0005700535.tif 000012
【図１２】
0005700535.tif 000013
【図１３】
0005700535.tif 000014
【図１４】
0005700535.tif 000015
【図１５】
0005700535.tif 000016
【図１６】
0005700535.tif 000017
【図１７】
0005700535.tif 000018
【図１８】
0005700535.tif 000019